(57)【特許請求の範囲】
【請求項１】
ホッパー部に貯留されたコインがその厚さ方向と垂直な方向に１枚ずつ通過できるだけの断面形状のコイン通路に前記ホッパー部から順次送り出されて前記コイン通路の端部のコイン排出口から排出されるように構成されたコイン払出し装置であって、
前記コイン通路における前記コイン排出口よりも前記ホッパー部の側であって前記コイン排出口に隣接する位置において前記コインの厚さ方向に対応する前記コイン通路の隙間幅の方向に進退動することにより前記コイン通路を開閉自在であるシャッター部材を有してなるシャッター機構が備えられ、前記シャッター部材が前記コイン通路の隙間幅の方向の一方の側の側壁部から先端部が他方の側の側壁部に入り込む位置まで突出することにより前記コイン通路を閉塞するように構成されたコイン払出し装置において、
前記シャッター部材に前記コイン排出口と反対の側に突出する閉塞状態保持用突起部が設けられ、前記シャッター部材は前記先端部が前記コイン排出口と反対の側に変位する方向に傾斜可能であるように設置され、前記シャッター機構は前記シャッター部材の前記先端部を前記コイン排出口の側に付勢するばね要素を備えており、前記シャッター部材が前記コイン通路を閉塞する状態で前記シャッター部材が前記コイン排出口の側から前記ばね要素の付勢力に抗して押されて前記コイン排出口と反対の側に変位すると前記コイン通路を開放する側への前記シャッター部材の移動が前記閉塞状態保持用突起部と前記コイン通路の側壁部との係合により阻止されるように構成されたことを特徴とするコイン払出し装置。
【請求項２】
請求項１において、
前記シャッター部材の前記先端部に前記コイン排出口の側に突出する異物挿入防止用突起部が設けられたことを特徴とするコイン払出し装置。
【請求項３】
ホッパー部に貯留されたコインがその厚さ方向と垂直な方向に１枚ずつ通過できるだけの断面形状のコイン通路に前記ホッパー部から順次送り出されて前記コイン通路の端部のコイン排出口から排出されるように構成されたコイン払出し装置であって、
前記コイン通路における前記コイン排出口よりも前記ホッパー部の側であって前記コイン排出口に隣接する位置において前記コインの厚さ方向に対応する前記コイン通路の隙間幅の方向に進退動することにより前記コイン通路を開閉自在であるシャッター部材を有してなるシャッター機構が備えられ、前記シャッター部材が前記コイン通路の隙間幅の方向の一方の側の側壁部から先端部が他方の側の側壁部に入り込む位置まで突出することにより前記コイン通路を閉塞するように構成されたコイン払出し装置において、
前記シャッター部材の前記ホッパー部の側の面における前記コイン通路を閉塞する部分に前記コインが前記ホッパー部の側から当接することにより前記シャッター部材が前記先端部の側に付勢されるように傾斜した傾斜面が形成されていることを特徴とするコイン払出し装置。
【請求項４】
請求項１又は２において、
前記シャッター機構は前記シャッター部材を前記コイン通路の隙間幅の方向に駆動するためのフラッパー型ソレノイドを備えることを特徴とするコイン払出し装置。
【請求項５】
請求項１又は２において、
前記シャッター部材が前記コイン通路を閉鎖する位置にあることを検出可能であるシャッター部材位置検出器と、前記コインが払い出されるべきではない場面において前記シャッター部材が前記コイン通路を閉鎖する位置にあることを前記シャッター部材位置検出器が検出していない場合に異常と判定するように構成された制御手段と、を更に備えることを特徴とするコイン払出し装置。
【請求項６】
請求項１又は２において、
前記シャッター部材が前記コイン通路を開放する位置にあることを検出可能であるシャッター部材位置検出器と、前記コインが払い出されるべきである場面において前記シャッター部材が前記コイン通路を開放する位置にあることを前記シャッター部材位置検出器が検出していない場合に異常と判定するように構成された制御手段と、を更に備えることを特徴とするコイン払出し装置。
【請求項７】
請求項１乃至６のいずれかに記載のコイン払出し装置を備えることを特徴とする遊技機。
【発明の詳細な説明】
【技術分野】
【０００１】
本発明は、例えば遊技機等に備えられるコイン払出し装置及びこれを備えた遊技機に関する。
【背景技術】
【０００２】
従来、スロットマシン等のコインを用いる遊技機にはコイン払出し装置が備えられており、コイン払出し装置は、ホッパー部に貯留されたコインがその厚さ方向と垂直な方向に１枚ずつ通過できるだけの断面形状のコイン通路にホッパー部から順次送り出されてコイン通路の端部のコイン排出口から排出されるように構成されている。コイン払出し装置のコイン排出口から排出されたコインは遊技機の払出し口から払出されるようになっている。
【０００３】
近年、このようなコイン払出し装置が備えられた遊技機においてホッパーゴトと称されるコインを不正に取得する行為が問題となっている。具体的には、不正を行う者は遊技機の払出し口からコイン払出し装置のコイン排出口にアクセスしてコイン通路内にワイヤ等の異物を挿入し、コインの払出し枚数をカウントするためにコイン通路の入口付近（ホッパー部の出口付近）に設置されたセンサを誤作動させる等の手法によりホッパー部のモータを不正に回転させ、本来はコインが払い出されるべきではない場面でコインを払い出させたり、或いは本来払い出されるはずの枚数よりも多い枚数のコインを払い出させ、コインを不正に取得していると考えられる。
【０００４】
これに対し、このようなコインの不正な取得を防止するための様々な対策を施した遊技機やコイン払出し装置が提案されている。例えば、払出し口を開放／閉鎖自在であるシャッター部材を備えると共に、コインが払い出さるべきではない場面でシャッター部材が払出し口を開放していることを開放検知装置によって検知した場合に異常を報知し、又、コインが払い出されるべき場面でシャッター部材が払出し口を閉鎖していることを閉鎖検知装置によって検出した場合にも異常を報知するようにした遊技機が知られている（例えば、特許文献１参照）。
【０００５】
又、コイン排出口を開放／閉鎖自在であるシャッター部材を備え、ばねによって常態ではコイン排出口を閉鎖する側にシャッター部材を付勢しつつコイン排出口を閉鎖する位置にシャッター部材を保持し、コインが払い出されるべき場面ではホッパー部の駆動用のモータに連動するアクチュエーターによってばねの付勢力に抗してコイン排出口を開放する側にシャッター部材を駆動するようにしたコイン払出し装置が知られている（例えば、特許文献２参照）。
【０００６】
又、コイン通路のホッパー部の側の端部の入口を開放／閉鎖自在のシャッター部材を備え、ばねによって常態では入口を閉鎖する側にシャッター部材を付勢しつつ入口を閉鎖する位置にシャッター部材を保持し、コインが払い出されるべき場面では可動鉄心を有するソレノイドによってばねの付勢力に抗して入口を開放する側にシャッター部材を駆動するようにし、又、シャッター部材がコイン通路の入口を開放していることを検出器が検出している時に限定してホッパー部のモータの運転を許容するようにしたコイン払出し装置が知られている（例えば、特許文献３参照）。
【先行技術文献】
【特許文献】
【０００７】
【特許文献１】特許第４１３３７２０号公報
【特許文献２】特許第４２５８７５３号公報
【特許文献３】特開２０１０−１４２６２２号公報
【発明の概要】
【発明が解決しようとする課題】
【０００８】
しかしながら、引用文献１のように遊技機の払出し口をシャッター部材によって閉鎖しても払出し口はアクセスしやすく指等によって払出し口を開放する側にシャッター部材を容易に動かすことが可能であり、このようにして開放された払出し口からコイン払い出し装置のコイン通路にワイヤ等の異物が挿入され、コインが不正に払い出されてしまう可能性があった。又、コインが払い出されるべきではない場面でシャッター部材が遊技機の払出し口を開放していることを開放検知装置が検知した場合に異常を報知するように構成しても、シャッター部材が払出し口を完全には開放してはいないもののコインが挿通できる程度の中途半端な位置まで不正に動かされた場合は異常とは認識されず、このように中途半端に開放された払出し口からコインが不正に払い出されてしまう可能性があった。又、コインが払い出されるべき場面でシャッター部材が遊技機の払出し口を閉鎖していることを検出した場合に異常を報知する構成とした場合は、シャッター部材が払出し口を完全には閉鎖していないもののコインが挿通できない程度の中途半端な位置に誤って留まってしまった場合には本来払い出されるはずのコインが払い出されないという異常事態となるが、このような異常事態が異常として認識されないという問題があった。
【０００９】
又、引用文献２のようにコイン払出し装置にそのコイン排出口を開放／閉鎖自在であるシャッター部材を備える場合も、コイン排出口は遊技機の払出し口からアクセスしやすい位置にあるため、ばねによってコイン排出口を閉鎖する側にシャッター部材を付勢しつつコイン排出口を閉鎖する位置にシャッター部材を保持しても、指や工具等によってコイン排出口を開放する側にシャッター部材を動かすことは可能であり、このように不正に開放されたコイン排出口からコイン通路内にワイヤ等の異物が挿入されてコインが不正に払い出されてしまう可能性があった。
【００１０】
又、引用文献３のようにコイン通路のホッパー部の側の端部の入口をシャッター部材で閉鎖する場合、コイン通路のコイン排出口から入口まで（シャッター部材によって閉塞される位置まで）はワイヤ等の異物を挿入することは可能であり、コインの払出し枚数をカウントするためのセンサを誤作動させるような不正な行為が行われる可能性があった。又、コイン排出口からコイン通路内にワイヤや工具等の異物が挿入されてコイン通路の入口を開放する側にシャッター部材が不正に動かされてしまう可能性もあった。尚、引用文献３ではシャッター部材が入口を開放していることを検出器が検出している時に限定してモータの駆動を許容するように構成されているため、シャッター部材がコイン通路の入口を閉鎖していればセンサを誤作動させる行為だけではモータが回転することはないが、例えばコイン通路の入口を開放する側にシャッター部材を不正に動かしてからセンサを誤作動させればモータが回転してコインが不正に払い出されてしまう可能性がある。又、コイン通路の入口はホッパー部に近いためコイン排出口よりも周辺の構造が複雑であり、更に、可動鉄心を有するソレノイドは伸縮方向に長い形状であり、又、短縮時だけでなく伸長時の長さも考慮した設置スペースを確保する必要があるため、このような可動鉄心を有するソレノイドをコイン通路の入口の周辺に設置すると構成が複雑となると共に装置が大型になってしまうという問題もあった。
【００１１】
本発明は、以上の問題点に鑑みてなされたものであって、コイン通路内への異物の挿入が困難な信頼性が高いコイン払出し装置及びこれを備えた遊技機を提供することを課題とする。
【課題を解決するための手段】
【００１２】
本発明は、ホッパー部に貯留されたコインがその厚さ方向と垂直な方向に１枚ずつ通過できるだけの断面形状のコイン通路に前記ホッパー部から順次送り出されて前記コイン通路の端部のコイン排出口から排出されるように構成されたコイン払出し装置であって、前記コイン通路における前記コイン排出口よりも前記ホッパー部の側であって前記コイン排出口に隣接する位置において前記コインの厚さ方向に対応する前記コイン通路の隙間幅の方向に進退動することにより前記コイン通路を開閉自在であるシャッター部材を有してなるシャッター機構が備えられ、前記シャッター部材が前記コイン通路の隙間幅の方向の一方の側の側壁部から先端部が他方の側の側壁部に入り込む位置まで突出することにより前記コイン通路を閉塞するように構成されたコイン払出し装置において、前記シャッター部材に前記コイン排出口と反対の側に突出する閉塞状態保持用突起部が設けられ、前記シャッター部材は前記先端部が前記コイン排出口と反対の側に変位する方向に傾斜可能であるように設置され、前記シャッター機構は前記シャッター部材の前記先端部を前記コイン排出口の側に付勢するばね要素を備えており、前記シャッター部材が前記コイン通路を閉塞する状態で前記シャッター部材が前記コイン排出口の側から前記ばね要素の付勢力に抗して押されて前記コイン排出口と反対の側に変位すると前記コイン通路を開放する側への前記シャッター部材の移動が前記閉塞状態保持用突起部と前記コイン通路の側壁部との係合により阻止されるように構成されたことを特徴とするコイン払出し装置により上記課題を解決したものである。
本発明は、又、同様のコイン払出し装置において、前記シャッター部材の前記ホッパー部の側の面における前記コイン通路を閉塞する部分に前記コインが前記ホッパー部の側から当接することにより前記シャッター部材が前記先端部の側に付勢されるように傾斜した傾斜面が形成されていることを特徴とするコイン払出し装置により、同様に上記課題を解決したものである。
【００１３】
又、本発明は、このコイン払出し装置を備える遊技機により上記課題を解決したものである。
【００１４】
上記のコイン払出し装置は、コイン排出口からコインが排出されるべきではない場面ではシャッター部材によってコイン通路を閉塞できるので、コインを不正に払い出させるためのコイン通路内へのワイヤ等の異物の挿入を防止できる。又、シャッター部材はコイン排出口の外側ではなくコイン通路におけるコイン排出口よりもホッパー部の側であってコイン排出口に隣接する位置に設置されており、更にシャッター部材はコイン通路の隙間幅の方向の一方の側の側壁部から先端部が他方の側の側壁部に入り込む位置まで突出することによりコイン通路を閉塞するように構成されているので、コイン通路を閉塞する位置のシャッター部材の先端部に指やワイヤ等の異物を接近させることは困難であり、シャッター部材を不正に開放してコイン通路内にワイヤ等の異物を挿入する行為も防止できる。
【発明の効果】
【００１５】
本発明によれば、コイン通路内への異物の挿入が困難な信頼性が高いコイン払出し装置及びこれを備えた遊技機を実現できる。
【図面の簡単な説明】
【００１６】
【図１】本発明の実施形態に係るコイン払出し装置の構造を示す上方から見た断面図
【図２】図１におけるコイン排出口の周辺部分を拡大して示す断面図
【図３】同コイン払出し装置の前面図
【図４】同コイン払出し装置の前方から見た断面図
【図５】同コイン払出し装置のコイン排出口の周辺部分を側方から見た断面図
【図６】同コイン払出し装置を斜め後方から見た斜視図
【図７】同コイン払出し装置を後方から見た断面図
【図８】同コイン払出し装置のベースプレートの後面図
【図９】同コイン払出し装置のシャッター機構のケーシングを斜め前方から見た斜視図
【図１０】同コイン払出し装置のシャッター機構の要部構造を示す分解斜視図
【図１１】同シャッター機構のシャッター部材の斜視図
【図１２】同シャッター部材を図１１と反対の側から見た斜視図
【図１３】同シャッター部材を下方から見た断面図
【図１４】図２において同シャッター部材の先端部がコイン排出口と反対の側に変位する方向に同シャッター部材が傾斜した状態を示す断面図
【図１５】同シャッター機構のフラッパー型ソレノイドの構造を示す分解斜視図
【図１６】同フラッパー型ソレノイドの可動片の斜視図
【発明を実施するための形態】
【００１７】
以下、図面を参照して本発明の好ましい実施形態について詳細に説明する。本実施形態は図１〜７に示されるようなコイン払出し装置１０に関する。コイン払出し装置１０は遊技機（図示省略）に備えられ、コイン払出し装置１０から排出されるコインは遊技機の払い出し口から払い出されるようになっている。尚、図１は図３におけるＩ−Ｉ線に沿う断面図である。コイン払出し装置１０は、ホッパー部１２に貯留されたコイン１４がその厚さ方向と垂直な方向に１枚ずつ通過できるだけの断面形状のコイン通路１６にホッパー部１２から順次送り出されてコイン通路１６の端部のコイン排出口１８から排出されるように構成されており、コイン通路１６におけるコイン排出口１８よりもホッパー部１２の側であってコイン排出口１８に隣接する位置においてコイン１４の厚さ方向に対応するコイン通路１６の隙間幅の方向に進退動することによりコイン通路１６を開閉自在であるシャッター部材２０を有してなるシャッター機構２２が備えられ、シャッター部材２０がコイン通路１６の隙間幅の方向の一方の側の側壁部２４から先端部が他方の側の側壁部２６に入り込む位置まで突出することによりコイン通路１６を閉塞するように構成されたことを特徴としている。他の構成については本実施形態の理解のために特に重要とは思われないため説明を適宜省略することとする。
【００１８】
コイン払出し装置１０は、図８に示されるような略正方形の板状体のベースプレート２８の前面側にホッパー部１２が備えられ、後面側にホッパー部１２を駆動するためのモータ３０やシャッター機構２２が備えられた構成である。ベースプレート２８におけるコイン排出口１８に対応する部分には切欠き２８Ａが形成されている。尚、コイン払出し装置１０は実際にはベースプレート２８の前面が斜め上方を臨む姿勢で遊技機に設置されることが多いが本実施形態では便宜上、ベースプレート２８におけるホッパー部１２が備えられる側を前面側と呼び、その反対側を後面側と呼ぶこととする。
【００１９】
ホッパー部１２は、図３に示されるように、円周方向に所定のピッチで複数の円形の孔３２Ａが形成されたディスク３２と、ディスク３２が遊嵌する円形の孔が形成されたホッパーベース３４と、を有し、ディスク３２がモータ３０に駆動されて回転することによりコイン１４をコイン通路１６に順次送り出すようになっている。より詳細には、コイン１４はディスク３２の上に貯留されており、孔３２Ａに１枚ずつ落ちてディスク３２とベースプレート２８との間に入り込むようになっている。又、図４に示されるように、ディスク３２の後面側にはひれ３２Ｂが形成されておりコイン１４はひれ３２Ｂに押されてコイン通路１６に送り出されるようになっている。ホッパーベース３４はコイン排出口１８まで延在されており、ホッパーベース３４とベースプレート２８とによってコイン通路１６が形成されている。コイン通路１６の隙間幅方向の一方の側壁部２４はベースプレート２８の一部であり、他方の側壁部２６はホッパーベース３４の一部である。側壁部２６には、シャッター部材２０の先端部が入り込む凹部が形成されている。
【００２０】
コイン通路１６のホッパー部１２の側の端部である入口にはカウント用ローラ３５が備えられている。カウント用ローラ３５が一定の範囲で移動することによりコイン通路１６の入口の大きさはコイン１４の直径よりも狭い状態とコイン１４の直径以上の広さの状態とに可変となっている。又、カウント用ローラ３５は図示しないばねによってコイン通路１６の入口の大きさがコイン１４の直径よりも狭い状態となる側に付勢されている。コイン１４がひれ３２Ｂに押されてカウント用ローラ３５に当接すると、ばねの付勢力に抗してコイン通路１６の入口の大きさが広がる側にカウント用ローラ３５が移動し、コイン通路１６の入口の大きさがコイン１４の直径以上の広さになるとコイン１４がコイン通路１６内に入り込むと共にカウント用ローラ３５はばねの付勢力によってコイン通路１６の入口の大きさが狭くなる側に戻りながらコイン１４をコイン排出口１８に向けて送り出すようになっている。
【００２１】
シャッター機構２２は図９に示されるようなケーシング３６に収容されている。ケーシング３６は前面側が開口した（前面視において）略台形の箱体で、コイン排出口１８の側の側面部は垂直である。ケーシング３６は、この垂直な側面部がベースプレート２８における切欠き２８Ａが形成された側の周縁に沿うようにベースプレート２８の後面に接して設置されている。又、この垂直な側面部には前方に突出しベースプレート２８の切欠き２８Ａに係合する突起部３６Ａが形成されている。突起部３６Ａの左右方向の厚さはベースプレート２８の切欠き２８Ａの左右方向の幅よりも薄く、突起部３６Ａが切欠き２８Ａに係合することにより突起部３６Ａと切欠き２８Ａとによって上下方向に長い孔が形成されるようになっている。シャッター部材２０はこの孔を挿通してコイン通路１６内に突出するようになっている。又、ケーシング３６における突起部３６Ａの後側に隣接する部分の内周面にはシャッター部材２０が前後方向に摺動自在に係合する上下方向に長い凹部３６Ｂが形成されている。又、ケーシング３６のもう一方の側面部はケーシング３６の幅が下方に向かって狭くなるように傾斜している。尚、ケーシング３６の２つの側面部はケーシング３６の幅が後方に向かって狭くなる側にも僅かに傾斜している。ケーシング３６の上面部及び下面部は水平方向に平行である。又、ケーシング３６の後面部の内周面にはシャッター部材２０を前後方向に案内する（前面視において）Ｌ字形状の一対のガイド突起３６Ｃ、円筒状のばね係止用突起３６Ｄ、センサ係止用突起３６Ｅ等が形成されている。
【００２２】
図１０に示されるように、ケーシング３６の中にはシャッター部材２０の他、コイン通路１６を閉塞する方向にシャッター部材２０を付勢する圧縮コイルばね（ばね要素）３８、圧縮コイルばね３８の付勢力に抗してコイン通路１６を開放する方向（コイン通路１６の隙間幅の方向）にシャッター部材２０を駆動するためのフラッパー型ソレノイド４０、シャッター部材２０がコイン通路１６を閉鎖する位置にあることやシャッター部材２０がコイン通路１６を開放する位置にあることを検出可能であるシャッター部材位置検出器４２等が備えられている。尚、図１０では便宜上、ケーシング３６等は設置される姿勢に対して上下方向が逆の姿勢で描かれている。
【００２３】
図１１〜１３に示されるように、シャッター部材２０は、矩形の板状の基部２０Ａと、基部２０Ａの前側に隣接するスライド部２０Ｂと、スライド部２０Ｂの前側に隣接するシャッター部２０Ｃと、基部２０Ａからコイン排出口１８と反対の側に突出する被駆動部２０Ｄと、被駆動部２０Ｄから下方に突出する被検出部２０Ｅとが一体で形成された構成である。
【００２４】
スライド部２０Ｂは基部２０Ａよりも上方及び下方に突出すると共にコイン排出口１８の側にも若干突出している。シャッター部材２０はスライド部２０Ｂにおいてケーシング３６の凹部３６Ｂに摺動自在に係合すると共に基部２０Ａの後端部２０Ｌにおいてケーシング３６のＬ字形状の一対のガイド突起３６Ｃに摺動自在に係合して前後方向に進退動するようになっている。尚、シャッター部材２０の進退動の範囲はスライド部２０Ｂの前端がベースプレート２８の後面に当接する位置とスライド部２０Ｂの後端がケーシング３６の凹部３６Ｂの後端に当接する位置との間である。
【００２５】
シャッター部２０Ｃは、ケーシング３６の突起部３６Ａとベースプレート２８の切欠き２８Ａとで形成される孔を挿通している。シャッター部２０Ｃの前後方向の幅はコイン通路１６の（コイン１４の厚さ方向に相当する）隙間幅よりも大きい。又、シャッター部２０Ｃの上下方向の幅はコイン通路１６の（コイン１４の直径の方向に相当する）幅よりも大きい。シャッター部２０Ｃは先端部の方に向かって細くなるようにコイン排出口１８の側の面が傾斜している。又、シャッター部２０Ｃの先端部（シャッター部材２０の先端部）にはコイン排出口１８の側に突出する異物挿入防止用突起部２０Ｆが形成されている。又、シャッター部２０Ｃにはコイン排出口１８と反対の側に突出する２つの閉塞状態保持用突起部２０Ｇが形成されている。又、シャッター部２０Ｃのホッパー部１２の側の面におけるコイン通路１６を閉塞する部分にはコイン１４がホッパー部１２の側から当接することによりシャッター部材２０が先端部の側に付勢されるように傾斜した傾斜面２０Ｈが形成されている。
【００２６】
被駆動部２０Ｄにおける基部２０Ａの近傍の部位にはフラッパー型ソレノイド４０の可動片（後述）が係合する２つの係合孔２０Ｊが形成されている。これら係合孔２０Ｊは断面形状が矩形であり、又、コイン排出口１８の側に向かって大きくなるテーパ孔である。シャッター部材２０の基部２０Ａの後端部２０Ｌはケーシング３６のＬ字形状の一対のガイド突起３６Ｃに左右方向に若干の遊びを有して係合しており、シャッター部材２０は先端部がコイン排出口１８と反対の側に変位する方向に傾斜可能となっている。又、被駆動部２０Ｄには後方に突出する切頭円錐形状のばね係止用突起２０Ｋが形成されている。圧縮コイルばね３８は前端部の内周においてシャッター部材２０のばね係止用突起２０Ｋに係合し、後端部の外周においてケーシング３６の後面部のばね係止用突起３６Ｄに係合している。被駆動部２０Ｄのばね係止用突起２０Ｋ及びケーシング３６の後面部のばね係止用突起３６Ｄは基部２０Ａよりも左右方向の位置がコイン排出口１８から離れる側に偏って設置されており、圧縮コイルばね３８は基部２０Ａよりもコイン排出口１８から離れる側に設置されている。これによりシャッター部材２０は圧縮コイルばね（ばね要素）３８によってコイン通路１６を閉塞する側に付勢されると共に先端部がコイン排出口１８の側に付勢されるようになっている。図１４に示されるように、シャッター部材２０がコイン通路１６を閉塞する状態でシャッター部材２０がコイン排出口１８の側から圧縮コイルばね３８の付勢力に抗して押されてコイン排出口１８と反対の側に変位するとコイン通路１６を開放する側へのシャッター部材２０の移動が閉塞状態保持用突起部２０Ｇとコイン通路１６の側壁部２４との係合により阻止されるように構成されている。尚、シャッター部材２０とフラッパー型ソレノイド４０の可動片との遊びや可動片とソレノイドベースとの遊びが大きい場合、シャッター部材２０は基部２０Ａの後端部２０Ｌとケーシング３６のガイド突起３６Ｃとの係合部を支点として回転する態様で傾斜して先端部がコイン排出口１８と反対の側に変位する。一方、これらの遊びが小さい場合は、シャッター部材２０は被駆動部２０Ｄとフラッパー型ソレノイド４０の可動片との係合部を支点として回転する態様で傾斜して先端部がコイン排出口１８と反対の側に変位する。
【００２７】
被検出部２０Ｅは、上下方向に長く左右方向に薄い板状体で側面視において下半部の後端側が切り欠かれたような、下半部が上半部よりも細い段付き形状となっている。
【００２８】
フラッパー型ソレノイド４０は、図１５及び１６に示されるように、中心孔が形成された円板状のソレノイドボビン４０Ａと、Ｌ字状に曲折された板状体のソレノイドボビンベース４０Ｂと、ソレノイドボビン４０Ａの中心孔に嵌合してソレノイドボビン４０Ａをソレノイドボビンベース４０ＢのＬ字の一方の部分に固定するボビン軸４０Ｃと、ソレノイドボビンベース４０ＢのＬ字の他方の部分に形成された係合孔に係合する可動片４０Ｄと、を有して構成されている。ソレノイドボビンベース４０Ｂはケーシング３６の後面部の内周面に取付けられるようになっている。可動片４０Ｄは左右方向に長い板状体で長手方向の一端にはソレノイドボビンベース４０Ｂの係合孔に係合する１つの突起４０Ｅが形成され、他端にはシャッター部材２０の２つの係合孔２０Ｊに係合する２つの突起４０Ｆが形成されている。可動片４０Ｄの材料はソレノイドボビン４０Ａの磁力によって吸引される性質を有する磁性材料である。
【００２９】
シャッター部材位置検出器４２は、図１０に示されるように、上下方向に並んで設置された２つのセンサ４２Ａ及び４２Ｂを有して構成されている。これらセンサ４２Ａ及び４２Ｂはケーシング３６の後面部のセンサ係止用突起３６Ｅに係止されている。センサ４２Ａ及び４２Ｂは同じ構造であり、それぞれ左右方向に投光する投光器と投光器からの投光を受光する受光器とを備えている。上側（図１０では下側）のセンサ４２Ａはシャッター部材２０の被検出部２０Ｅの上半部によって投光器から受光器への投光が遮断される位置に設置されており、下側のセンサ４２Ｂはシャッター部材２０の被検出部２０Ｅの上半部よりも細い下半部によって投光器から受光器への投光が遮断される位置に設置されている。又、センサ４２Ａ、４２Ｂ、及びシャッター部材２０の被検出部２０Ｅは、シャッター部材２０がコイン通路を閉塞している位置では２つのセンサ４２Ａ及び４２Ｂの受光器がいずれも投光器からの投光を受光し、シャッター部材２０がコイン通路を開放している位置では２つのセンサ４２Ａ及び４２Ｂの受光器がいずれも投光器からの投光を受光しないように形状や配置が設計されている。
【００３０】
又、コイン払出し装置１０は、コイン１４が払い出されるべきではない場面においてシャッター部材２０がコイン通路１６を閉鎖する位置にあることをシャッター部材位置検出器４２が検出していない場合に異常と判定するように構成された制御手段（図示省略）を更に備えている。この制御手段はコイン１４が払い出されるべき場面においてシャッター部材２０がコイン通路１６を開放する位置にあることをシャッター部材位置検出器４２が検出していない場合にも異常と判定するように構成されている。制御手段は、マイクロコンピューター等のコンピューターである。尚、制御手段は、コイン払出し装置１０を制御するための専用のコンピューターであってもよいし、コイン払出し装置１０が備えられる遊技機を制御するためのコンピューターが兼ねていてもよい。
【００３１】
又、図７に示されるように、ケーシング３６の中にはホッパー部１２からコイン通路１６に送り出されるコイン１４の枚数をカウントするためのコイン枚数検出器４４が備えられている。コイン枚数検出器４４は左右方向に並んで設置された２つのセンサ４４Ａ及び４４Ｂを有して構成されている。これらセンサ４４Ａ及び４４Ｂは同じ構造であり、それぞれ前後方向に投光する投光器とこの投光を受光する受光器とを備えている。カウント用ローラ３５にはアームが連結されており、アームはカウント用ローラ３５の移動に連動してセンサ４４Ａ及び４４Ｂの投光器と受光器との間を通る軌道を揺動するようになっている。コイン通路１６の入口をコイン１４が通過する際にコイン通路１６の入口の大きさが広がる側にカウント用ローラ３５が移動すると、センサ４４Ａでは受光器が投光器からの投光を受光し、センサ４４Ｂではアームによって投光器から受光器への投光が遮断されるようになっている。一方、カウント用ローラ３５がコイン通路１６の入口の大きさが狭くなる側に移動すると、センサ４４Ａではアームによって投光器から受光器への投光が遮断され、センサ４４Ｂでは受光器が投光器からの投光を受光するようになっている。このようなセンサ４４Ａ及び４４Ｂの受光器の受光状態に基づいてコイン通路１６の入口を通過するコイン１４の枚数が検出されるようになっている。
【００３２】
次に、コイン払出し装置１０の作用について説明する。シャッター部材２０は上記のように圧縮コイルばね（ばね要素）３８によってコイン通路１６を閉塞する側に付勢されており、常態ではコイン通路１６の隙間幅の方向の一方の側の側壁部２４から先端部が他方の側の側壁部２６に入り込む位置まで突出してコイン通路１６を閉塞する位置に保持されている。この状態ではシャッター部材位置検出器４２の２つのセンサ４２Ａ及び４２Ｂの受光器がいずれも投光器からの投光を受光しており、このセンサ４２Ａ及び４２Ｂの受光状態に基づいて制御手段はシャッター部材２０がコイン通路１６を閉塞する位置にあることを認識している。
【００３３】
コイン１４が払い出されるべき場面では、制御手段の指示によってフラッパー型ソレノイド４０のソレノイドボビン４０Ａが可動片４０Ｄを磁力によって吸引する。これによりシャッター部材２０は圧縮コイルばね３８の付勢力に抗してコイン通路１６を開放する方向（コイン通路１６の隙間幅の方向）に移動する。この際、シャッター部材２０は圧縮コイルばね（ばね要素）３８によって先端部がコイン排出口１８の側に付勢されているので、コイン通路１６を開放する側へのシャッター部材２０の移動が閉塞状態保持用突起部２０Ｇとコイン通路１６の側壁部２４との係合により阻止されることはない。シャッター部材２０の移動に伴い、まずシャッター部材２０の被検出部２０Ｅの上半部によってシャッター部材位置検出器４２のセンサ４２Ａの投光器から受光器への投光が遮断され、シャッター部材２０がコイン通路１６を完全に開放する位置まで移動すると被検出部２０Ｅの下半部によってセンサ４２Ｂの投光器から受光器への投光も遮断される。これらセンサ４２Ａ及び４２Ｂの受光状態に基づいて制御手段はシャッター部材２０がコイン通路１６を開放する位置にあることを認識し、ホッパー部１２を駆動するモータ３０を回転させる。これによりコイン１４がコイン通路１６に順次送り出され、コイン排出口１８から排出される。コイン１４がコイン通路１６の入口を通過する毎にカウント用ローラ３５と共にアームが揺動してコイン枚数検出器４４のセンサ４４Ａ及び４４Ｂの受光状態が変化し、この受光状態の変化に基づいて制御部は排出されるコイン１４の枚数を認識する。
【００３４】
制御部は所定の枚数のコイン１４が排出されたことを認識するとモータ３０を停止させる。更に、制御手段の指示によってフラッパー型ソレノイド４０はソレノイドボビン４０Ａの磁力による可動片４０Ｄの吸引を停止し、可動片４０Ｄを解放する。これによりにシャッター部材２０は圧縮コイルばね３８に付勢されてコイン通路１６を閉塞する方向に移動する。シャッター部材２０の移動に伴い、まずシャッター部材位置検出器４２のセンサ４２Ｂの受光器が投光器からの投光を受光するようになり、シャッター部材２０がコイン通路を完全に閉塞する位置まで移動するとセンサ４２Ａの受光器も投光器からの投光を受光するようになる。これらセンサ４２Ａ及び４２Ｂの受光状態に基づいて制御手段はシャッター部材２０がコイン通路１６を閉塞する位置にあることを認識する。コイン１４が排出されるべきではない場面では、制御手段はフラッパー型ソレノイド４０のソレノイドボビン４０Ａが磁力による可動片４０Ｄの吸引を停止した状態を維持し、コイン通路１６を閉塞する位置にシャッター部材２０を保持する。
【００３５】
このように、コイン排出口１８からコイン１４が排出されるべきではない場面では、シャッター部材２０によってコイン通路１６が閉塞されるので、コイン１４を不正に払い出させるためにコイン通路１６内へワイヤ等の異物を挿入する行為を防止できる。
【００３６】
又、シャッター部材２０はコイン排出口１８の外側ではなくコイン通路１６におけるコイン排出口１８よりもホッパー部１２の側であってコイン排出口１８に隣接する位置に設置されており、更にシャッター部材２０はコイン通路１６の隙間幅の方向の一方の側の側壁部２４から先端部が他方の側の側壁部２６に入り込む位置まで突出することによりコイン通路１６を閉塞するように構成されているので、コイン通路１６を閉塞する位置のシャッター部材２０の先端部に指やワイヤ等の異物を接近させることは困難であり、シャッター部材２０を不正に開放してコイン通路内１６にワイヤ等の異物を挿入する行為も防止できる。
【００３７】
更に、シャッター部材２０の先端部にはコイン排出口１８の側に突出する異物挿入防止用突起部２０Ｆが形成されており、これによりシャッター部材２０の先端部へのワイヤ等の異物の接近を防止する効果が高められている。
【００３８】
又、シャッター部材２０にはコイン排出口１８と反対の側に突出する閉塞状態保持用突起部２０Ｇが形成されており、シャッター部材２０がコイン通路１６を閉塞する位置でシャッター部材２０がコイン排出口１８の側から圧縮コイルばね３８の付勢力に抗して押されてコイン排出口１８と反対の側に変位するとコイン通路１６を開放する側へのシャッター部材２０の移動が閉塞状態保持用突起部２０Ｇとコイン通路１６の側壁部２４との係合により阻止されるように構成されているので、シャッター部２０Ｃにおけるコイン排出口１８の側の面に鋭利な工具等を接触させてシャッター部材２０を不正に開放する行為も防止できる。
【００３９】
又、コイン枚数検出器４４のセンサ４４Ａ及び４４Ｂがケーシング３６に収容されているので、コイン通路１６を介さないルートでコイン枚数検出器４４に外部からアクセスしてコイン枚数検出器４４を誤作動させる不正行為も防止できる。
【００４０】
又、制御手段は、コイン１４が払い出されるべきではない場面においてシャッター部材２０がコイン通路１６を閉鎖する位置にあることをシャッター部材位置検出器４２が検出していない場合に異常と判定するように構成されているので、仮にシャッター部材２０が不正に開放されてもコイン１４が不正に払い出されてしまうことを防止できる。シャッター部材２０がコイン通路１６を完全には開放してはいないもののコイン１４が挿通できる程度の中途半端な位置まで不正に動かされた場合でも異常と認識され、このように中途半端に開放されたコイン通路１６のコイン排出口１８からコイン１４が不正に払い出されてしまうことも防止できる。
【００４１】
又、シャッター部材２０のホッパー部１２の側の面におけるコイン通路１６を閉塞する部分にはコイン１４がホッパー部１２の側から当接することによりシャッター部材２０が先端部の側に付勢されるように傾斜した傾斜面２０Ｈが形成されているので、シャッター部材２０がコイン通路１６を閉塞する状態で不具合や不正行為によってホッパー部１２からコイン１４がコイン通路１６に送り出され、シャッター部材２０にコイン１４がホッパー部１２の側から当接しても、シャッター部材２０は先端部の側に付勢され、コイン通路１６を閉塞する状態が確実に保持されるので、コイン１４が誤って排出されることはない。
【００４２】
又、制御手段はコイン１４が払い出されるべき場面においてシャッター部材２０がコイン通路１６を開放する位置にあることをシャッター部材位置検出器４２が検出していない場合にも異常と判定するように構成されているので、コイン１４が払い出されるべき場面でシャッター機構２２の不具合等によりシャッター部材２０がコイン通路１６を開放せず、本来払い出されるはずのコイン１４が払い出されないという異常事態の発見に寄与する。シャッター部材２０がコイン通路１６を完全には閉鎖していないもののコイン１４が通過できない程度の中途半端な位置に誤って留まってしまっている異常事態も発見できる。
【００４３】
又、シャッター部材２０はコイン１４の厚さ方向に対応するコイン通路１６の隙間幅の方向に進退動するようになっているので進退動のストロークが短くて足り、コイン払出し装置１０のコンパクト化に寄与する。又、シャッター部材２０の進退動のストロークが短くて足りるので、ストロークの方向にコンパクトなフラッパー型ソレノイド４０を用いることが可能となっており、この点でもコイン払出し装置１０のコンパクト化に寄与する。
【００４４】
尚、本実施形態において、シャッター部材位置検出器４２は２つのセンサ４２Ａ及び４２Ｂを有して構成され、シャッター部材２０がコイン通路１６を閉鎖する位置にあることを検出可能であると共にシャッター部材２０がコイン通路１６を開放する位置にあることも検出可能であるが、シャッター部材位置検出器は１つのセンサのみを有し、シャッター部材がコイン通路を閉鎖する位置にあることは検出できず、シャッター部材がコイン通路を開放する位置にあることだけを検出可能であるようにしてもよい。例えば、所定の枚数のコイン１４が払い出されて制御手段の指示によってフラッパー型ソレノイド４０がソレノイドボビン４０Ａの磁力による可動片４０Ｄの吸引を停止した後、シャッター部材２０が圧縮コイルばね３８に付勢されてコイン通路１６を閉塞する位置に確実に移動できる時間が経過してからでないとソレノイドボビン４０Ａの磁力による可動片４０Ｄの吸引を再開できないように制御すれば、シャッター部材がコイン通路を閉鎖する位置にあることは必ずしも検出する必要はない。
【００４５】
又、シャッター部材位置検出器が省略され、シャッター部材がコイン通路を閉鎖する位置にあることを検出できず、シャッター部材がコイン通路を開放する位置にあることも検出できない構成としてもよい。例えば、ソレノイドボビン４０Ａの磁力による可動片４０Ｄの吸引を開始した後、所定の時間が経過してからでないとモータ３０の回転を開始できないようにし、更に、ソレノイドボビン４０Ａの磁力による可動片４０Ｄの吸引を停止した後、所定の時間が経過してからでないとソレノイドボビン４０Ａの磁力による可動片４０Ｄの吸引を再開できないようにすれば、シャッター部材がコイン通路を閉鎖する位置にあることも、シャッター部材がコイン通路を開放する位置にあることも必ずしも検出する必要はない。
【００４６】
又、本実施形態において、シャッター部材２０の駆動源としてフラッパー型ソレノイド４０が用いられているが、遊技機におけるコイン払出し装置の周辺の部材との干渉の問題等が生じないような場合には、シャッター部材２０の駆動源として可動鉄心を有するソレノイド等の他のタイプのソレノイドを用いてもよい。
【００４７】
又、本実施形態において、シャッター部材２０のホッパー部１２の側の面におけるコイン通路１６を閉塞する部分に傾斜面２０Ｈが形成されているが、コイン１４がホッパー部１２の側から当接することによるシャッター部材２０の開放が問題とされない場合には、シャッター部材は傾斜面が形成されていない構成としてもよい。
【００４８】
又、本実施形態において、シャッター部材２０の先端部には異物挿入防止用突起部２０Ｆが形成されているが、例えばコイン払出し装置が備えられる遊技機の構造等によりシャッター部材２０の先端部へのワイヤ等の異物の接近が問題とされない場合には、シャッター部材は異物挿入防止用突起部が形成されていない構成としてもよい。
【００４９】
又、本実施形態において、シャッター部材２０には閉塞状態保持用突起部２０Ｇが形成されているが、例えばコイン払出し装置が備えられる遊技機の構造等によりシャッター部材２０Ｃにおけるコイン排出口１８の側の面に鋭利な工具等を接触させてシャッター部材２０を不正に開放する行為の問題が生じない場合には、シャッター部材は閉塞状態保持用突起部が形成されていない構成としてもよい。
【００５０】
又、本実施形態において遊技機としてスロットマシンが例示されているがスロットマシン以外の遊技機にも本発明は適用可能である。
【産業上の利用可能性】
【００５１】
本発明は、例えばスロットマシン等の遊技機に利用できる。
【符号の説明】
【００５２】
１０…コイン払出し装置
１２…ホッパー部
１４…コイン
１６…コイン通路
１８…コイン排出口
２０…シャッター部材
２０Ｆ…異物挿入防止用突起部
２０Ｇ…閉塞状態保持用突起部
２０Ｈ…傾斜面
２２…シャッター機構
２４、２６…側壁部
３８…圧縮コイルばね（ばね要素）
４０…フラッパー型ソレノイド
４２…シャッター部材位置検出器
【図１】
0006004256.tif 000002
【図２】
0006004256.tif 000003
【図３】
0006004256.tif 000004
【図４】
0006004256.tif 000005
【図５】
0006004256.tif 000006
【図６】
0006004256.tif 000007
【図７】
0006004256.tif 000008
【図８】
0006004256.tif 000009
【図９】
0006004256.tif 000010
【図１０】
0006004256.tif 000011
【図１１】
0006004256.tif 000012
【図１２】
0006004256.tif 000013
【図１３】
0006004256.tif 000014
【図１４】
0006004256.tif 000015
【図１５】
0006004256.tif 000016
【図１６】
0006004256.tif 000017